(57)【要約】【課題】発光部が発する熱が蓄電池に伝わりにくい照明装置を提供する。【解決手段】照明装置１０は、発光部２０と、発光部２０に電力を供給する蓄電池４０と、蓄電池４０が載置される第１の領域、及び、発光部２０が直接的または間接的に載置される第２の領域を有する底板３１とを備える。底板３１の、第１の領域と第２の領域との間の位置には、スリット部３４が設けられる。【選択図】図２
2017212202.tif 000002
【特許請求の範囲】
【請求項１】
発光部と、
前記発光部に電力を供給する蓄電池と、
前記蓄電池が載置される第１の領域、及び、前記発光部が直接的または間接的に載置される第２の領域を有する底板とを備え、
前記底板の、前記第１の領域と前記第２の領域との間の位置には、開口部が設けられる
照明装置。
【請求項２】
前記開口部は、直線状であり、
前記開口部の長さは、前記開口部の長手方向における前記発光部の長さの０．７倍以上である
請求項１に記載の照明装置。
【請求項３】
前記開口部を形成する縁部分は、折れ曲がっている
請求項１または２に記載の照明装置。
【請求項４】
前記開口部を形成する縁部分は、前記蓄電池側に向かって折れ曲がっている
請求項３に記載の照明装置。
【請求項５】
前記開口部を形成する縁部分は、複数箇所において折れ曲がっている
請求項３または４に記載の照明装置。
【請求項６】
前記開口部は、円弧状である
請求項１に記載の照明装置。
【請求項７】
前記開口部は、前記底板に設けられた複数の孔からなる
請求項１〜６のいずれか１項に記載の照明装置。
【請求項８】
さらに、前記底板の前記第２の領域に載置された電源回路であって、前記照明装置の外部から供給される交流電力を直流電力に変換して前記発光部に供給する電源回路を備える
請求項１〜７のいずれか１項に記載の照明装置。
【請求項９】
前記底板の前記第２の領域には、前記発光部が載置される凸部が設けられる
請求項１〜８のいずれか１項に記載の照明装置。
【請求項１０】
前記凸部は、前記底板の中央部に設けられる
請求項９に記載の照明装置。
【請求項１１】
さらに、前記発光部、前記凸部、及び前記蓄電池を側方から囲む側壁を備え、
前記底板及び前記側壁は、前記発光部、前記凸部、及び前記蓄電池を収容する筐体を構成する
請求項９または１０に記載の照明装置。
【請求項１２】
さらに、
前記筐体の前記底板と反対側に取り付けられる、透光性を有するカバーと、
前記カバーと前記筐体との隙間を塞ぐ第１シール部材と、
前記開口部を塞ぐ第２シール部材とを備える
請求項１１に記載の照明装置。
【請求項１３】
前記第２シール部材は、前記開口部に挟まることにより前記スリット部を塞ぐ
請求項１２に記載の照明装置。
【請求項１４】
前記開口部は、前記底板を２つに分離する
請求項１〜１３のいずれか１項に記載の照明装置。
【発明の詳細な説明】
【技術分野】
【０００１】
本発明は、蓄電池を備える照明装置に関する。
【背景技術】
【０００２】
近年、ＬＥＤ照明装置が普及しつつある。例えば、特許文献１には、屋外等で使用するために、防水構造を備えたＬＥＤ照明装置が開示されている。
【先行技術文献】
【特許文献】
【０００３】
【特許文献１】特開２０１３−０７３７４４号公報
【発明の概要】
【発明が解決しようとする課題】
【０００４】
照明装置においては、発光部（光源）が発する熱が耐熱性の低い部品に伝わりにくい構造が求められる。例えば、蓄電池は、使用される際の環境温度の上限が比較的低く耐熱性の低い部品であるといえる。蓄電池を備える照明装置においては、発光部が発する熱が蓄電池に伝わりにくいほうがよい。
【０００５】
本発明は、発光部が発する熱が蓄電池に伝わりにくい照明装置を提供する。
【課題を解決するための手段】
【０００６】
本発明の一態様に係る照明装置は、発光部と、前記発光部に電力を供給する蓄電池と、前記蓄電池が載置される第１の領域、及び、前記発光部が直接的または間接的に載置される第２の領域を有する底板とを備え、前記底板の、前記第１の領域と前記第２の領域との間の位置には、開口部が設けられる。
【発明の効果】
【０００７】
本発明によれば、発光部が発する熱が蓄電池に伝わりにくい照明装置が実現される。
【図面の簡単な説明】
【０００８】
【図１】図１は、実施の形態に係る照明装置の下方から見た外観斜視図である。
【図２】図２は、実施の形態に係る照明装置の下方から見た分解斜視図である。
【図３】図３は、実施の形態に係る照明装置の上方から見た分解斜視図である。
【図４】図４は、スリット部の形状を説明するための平面図（模式図）である。
【図５】図５は、シミュレーションモデルを説明するための平面図である。
【図６】図６は、シミュレーション結果を示す図である。
【図７】図７は、折れ曲がったスリット部の形状を示す第１の図である。
【図８】図８は、折れ曲がったスリット部の形状を示す第２の図である。
【図９】図９は、折れ曲がったスリット部の形状を示す第３の図である。
【図１０】図１０は、折れ曲がったスリット部の形状を示す第４の図である。
【図１１】図１１は、折れ曲がったスリット部の形状を示す第５の図である。
【図１２】図１２は、円弧状のスリット部を示す第１の図である。
【図１３】図１３は、円弧状のスリット部を示す第２の図である。
【図１４】図１４は、複数の孔からなるスリット部の一例を示す図である。
【図１５】図１５は、複数の孔からなるスリット部の別の一例を示す図である。
【図１６】図１６は、底板を２つに分離するスリット部の一例を示す図である。
【発明を実施するための形態】
【０００９】
以下、実施の形態について、図面を参照しながら具体的に説明する。なお、以下で説明する実施の形態は、いずれも包括的または具体的な例を示すものである。以下の実施の形態で示される数値、形状、材料、構成要素などは、一例であり、本発明を限定する主旨ではない。また、以下の実施の形態における構成要素のうち、最上位概念を示す独立請求項に記載されていない構成要素については、任意の構成要素として説明される。
【００１０】
また、各図は、模式図であり、必ずしも厳密に図示されたものではない。なお、各図において、実質的に同一の構成に対しては同一の符号を付しており、重複する説明は省略または簡略化される場合がある。
【００１１】
以下の実施の形態の図面においては、Ｚ軸方向は、例えば上下方向（鉛直方向）であり、Ｚ軸＋側は、上側または天井側と記載される場合がある。また、Ｚ軸−側は、下側または光出射側と記載される場合がある。また、Ｘ軸方向及びＹ軸方向は、Ｚ軸に垂直な平面（水平面）上において、互いに直交する方向である。また、以下の実施の形態において、平面視とは、Ｚ軸方向から見ることを意味する。
【００１２】
（実施の形態）
まず、実施の形態に係る照明装置の構成について詳細に説明する。図１は、実施の形態に係る照明装置の下方から見た外観斜視図である。図２は、実施の形態に係る照明装置の下方から見た分解斜視図である。図３は、実施の形態に係る照明装置の上方から見た分解斜視図である。
【００１３】
図１〜図３に示されるように、照明装置１０は、発光部２０と、筐体３０と、蓄電池４０と、電源回路５０と、カバー６０と、第１シール部材７０と、第２シール部材８０とを備える。
【００１４】
照明装置１０は、防水または防塵を目的とした密閉型の照明装置である。照明装置１０は、例えば、屋外空間または半屋外空間において使用される。照明装置１０は、具体的には、シーリングライトとして半屋外空間の天井に取り付けられるが、ブラケットライトとして壁面に取り付けられてもよい。照明装置１０の用途は特に限定されない。
【００１５】
照明装置１０の平面視形状（Ｚ軸方向から見た形状）は、円形である。以下の実施の形態では、照明装置１０は、天井に取り付けられるものとして説明が行われる。なお、密閉型の照明装置とは、照明装置の内部へと続く隙間が最小限に抑えられた照明装置である。
【００１６】
発光部２０は、照明装置１０の光源として機能する。発光部２０は、具体的には、基板上に直接実装されたＬＥＤチップが、蛍光体を含有する透光性樹脂によって封止されたＣＯＢ（Ｃｈｉｐ  Ｏｎ  Ｂｏａｒｄ）型の発光モジュールである。発光部２０は、例えば、白色光を下方に向けて発する。つまり、発光部２０は、白色光をカバー６０に向けて発する。
【００１７】
発光部２０は、筐体３０の凸部３３に載置され、凸部３３にねじ止めされる。発光部２０は、円形の発光領域を有する。
【００１８】
筐体３０は、略有底円筒状の部材であり、発光部２０、蓄電池４０、及び、電源回路５０を収容する。筐体３０の平面視形状は、直径２０ｃｍ〜３０ｃｍ程度の円形である。筐体３０は、例えば、アルミニウムがダイカスト鋳造されることにより形成される。筐体３０は、その他の金属材料または樹脂材料によって形成されてもよい。筐体３０は、具体的には、底板３１及び側壁３２を含む。
【００１９】
底板３１は、平面視形状が円形の板材である。底板３１の下面には、蓄電池４０及び電源回路５０が載置される。また、底板３１の下面には、下方に向かって突出した凸部３３が設けられる。なお、図示されないが、底板３１の下面には、外部からの電線が差し込まれる端子台であって、当該電線と電源回路５０とを電気的に接続するための端子台も載置される。
【００２０】
底板３１は、発光部２０が光ることにより当該発光部２０が発する熱を逃がすための放熱板としても機能する。なお、底板３１は、回路基板とは異なり、配線パターンを有しない。ここで、底板３１には、スリット部３４が設けられる。
【００２１】
スリット部３４は、開口部の一例であり、具体的には、Ｘ軸方向に延びる直線状の開口部である。スリット部３４は、底板３１を貫通する貫通孔であるが、スリット状の切り欠きであってもよい。スリット部３４は、底板３１の、凸部３３と蓄電池４０との間の位置に設けられ、発光部２０が発する熱が蓄電池４０に伝わることを妨げる。つまり、スリット部３４によれば、発光部２０が発する熱が蓄電池４０に伝わりにくくなる。なお、スリット部３４の詳細な構成については後述される。
【００２２】
側壁３２は、筐体３０のうち底板３１の縁に沿って立設した部分であり、発光部２０、凸部３３、蓄電池４０、及び、電源回路５０を側方から囲む。側壁３２は、円環状である。側壁３２の下端部は、中心側に向かって鍔状にせり出しており、せり出した部分の内周面には、溝部３５（溝構造）が設けられる。溝部３５には、カバー６０の縁及び第１シール部材７０が差し込まれる。第１シール部材７０は、溝部３５とカバー６０の縁との間に挟まることにより溝部３５とカバー６０との隙間を塞ぐ。
【００２３】
凸部３３は、筐体３０のうち発光部２０が載置される載置台として機能する部分である。凸部３３は、例えば、底板３１の中央部（円形状の中心部）に設けられる。平面視において、凸部３３は、蓄電池４０及び電源回路５０の間に配置されている。凸部３３の平面視形状は、矩形（略正方形）である。なお、凸部３３は、底板３１と一体形成されるが、底板３１とは別体であって、底板３１に取り付けられてもよい。
【００２４】
蓄電池４０は、発光部２０に電力を供給する電源である。蓄電池４０は、例えば、外部からの交流電力の供給が停止されたときに、非常用の電源として使用される。蓄電池４０は、例えば、リチウムイオン電池である。蓄電池４０は、充電及び放電が可能な蓄電池であればよく、ニッケル水素電池等であってもよい。蓄電池４０は、底板３１の下面に載置される。
【００２５】
電源回路５０は、照明装置１０の外部から供給される交流電力を直流電力に変換して発光部２０に供給する。交流電力は、具体的には、端子台（図示せず）に差し込まれた電線を介して外部交流電源から供給される。電源回路５０は、底板３１の下面に載置される。電源回路は、具体的には、整流回路及びインバータ回路などを含む。なお、防水性及び防塵性を高めるために、電源回路５０は、樹脂製のカバーで覆われている。
【００２６】
また、電源回路５０には、蓄電池４０を充電する充電回路が含まれる。充電回路は、照明装置１０の外部から供給される交流電力を蓄電池４０の充電に適した直流電力に変換し、直流電力によって蓄電池４０を充電する。
【００２７】
また、電源回路５０には、外部からの交流電力の供給の停止（停電）を検出する検出回路、及び、蓄電池４０を放電する放電回路も含まれる。検出回路によって停電が検出されると、放電回路は、蓄電池４０を放電させる。この結果、蓄電池４０は、発光部２０に直流電力を供給する。これにより、照明装置１０は、停電時も発光を継続することができる。
【００２８】
カバー６０は、下方に向かって突出した略円形ドーム状の光学部材（グローブ）である。カバー６０は、透光性を有し、筐体３０の底板３１と反対側に取り付けられる。カバー６０は、具体的には、外側に向かって鍔状にせり出したカバー６０の縁が筐体３０の下端部に設けられた溝部３５に差し込まれることにより、筐体３０に取り付けられる。
【００２９】
カバー６０は、例えば、シリコーン樹脂、アクリル樹脂、ポリカーボネート樹脂、または、ガラスなどの透光性材料により形成される。また、カバー６０は、シリカまたは炭酸カルシウムなどの光拡散材（微粒子）を含有する白色の樹脂またはガラスによって形成されて光拡散性を有してもよい。
【００３０】
第１シール部材７０は、いわゆるオーリングであり、溝部３５とカバー６０の縁との間に挟まることにより、溝部３５とカバー６０との隙間を塞ぐ。これにより、溝部３５とカバー６０との隙間が密閉される。第１シール部材７０は、例えば、弾性を有する樹脂部材（ゴム、エラストマーなど）により形成される。
【００３１】
第２シール部材８０は、平面視形状が円形のシート状のシール部材である。第２シール部材８０は、スリット部３４を底板３１の外側から覆うことにより、スリット部３４を塞ぐ。これにより、スリット部３４が密閉される。第２シール部材８０は、例えば、弾性を有する樹脂部材（ゴム、エラストマーなど）により形成される。なお、照明装置１０は、第２シール部材８０に加えて、または、第２シール部材８０に代えて、スリット部３４に挟まる第２シール部材を備えてもよい。これにより、スリット部３４が密閉される。
【００３２】
［スリット部の詳細な構成］
次に、スリット部３４の詳細な構成について説明する。図４は、スリット部３４の形状を説明するための平面図（模式図）である。なお、図１〜図３では、スリット部３４と発光部２０（凸部３３）は、近接しているが、スリット部３４と発光部２０（凸部３３）とは、図４に示されるように離れていてもよい。
【００３３】
スリット部３４は、発光部２０（凸部３３）及び蓄電池４０の並び方向（Ｙ軸方向）と交差するＸ軸方向に延びる直線状の開口である。スリット部３４は、底板３１の、発光部２０（凸部３３）と蓄電池４０との間の位置に設けられ、発光部２０が発する熱が蓄電池４０に伝わることを妨げる。つまり、スリット部３４によれば、発光部２０が発する熱が蓄電池４０に伝わりにくくなる。
【００３４】
また、スリット部３４は、底板３１の、電源回路５０と蓄電池４０との間の位置に設けられる。これにより、電源回路５０が発する熱が蓄電池４０に伝わることが妨げられる。つまり、スリット部３４によれば、電源回路５０が発する熱が蓄電池４０に伝わりにくくなる。
【００３５】
なお、図４に示されるように、照明装置１０においては、蓄電池４０、スリット部３４、発光部２０（凸部３３）、及び、電源回路５０は、底板３１の中心を通る直線（線分）上に、この順に並んで配置されている。そして、スリット部３４は、これらの部品の並び方向（Ｙ軸方向）と交差（直交）する方向（Ｘ軸方向）に長い。しかしながら、このような部品配置は一例であり、照明装置１０においては、少なくとも発光部２０及び蓄電池４０の間にスリット部３４が配置されればよい。
【００３６】
蓄電池４０に熱を伝わりにくくするためには、スリット部３４の長さ（Ｘ軸方向における長さ）は、長いほうがよい。以下、スリット部３４の長さに応じた、筐体３０（底板３１）の温度上昇についてのシミュレーション結果について説明する。まず、シミュレーションモデルについて説明する。図５は、シミュレーションモデルを説明するための平面図である。
【００３７】
図５に示されるように、シミュレーションモデルにおいては、底板３１の中央部に発光部２０が配置される。平面視において、発光部２０は、一辺の長さ（Ｘ軸方向における幅、及び、Ｙ軸方向における幅のそれぞれ）がａである略正方形である。
【００３８】
発光部２０のＹ軸方向＋側の隣にはスリット部３４が配置される。スリット部３４は、発光部２０と温度の計測位置との間に配置される。温度の計測位置は、底板３１のうち、発光部２０の中心からＹ軸方向＋側に距離ａだけ離れた位置である。
【００３９】
以上のようなシミュレーションモデルにおいて、発光部２０を熱源として、スリット部３４のＸ軸方向の長さ（以下、単にスリット長とも記載する）と、計測位置における温度上昇についてのシミュレーションを行った。図６は、シミュレーション結果を示す図である。
【００４０】
図６の縦軸は、温度上昇低減率示す。温度上昇低減率は、スリット部３４が設けられない場合の計測位置の温度を基準温度として、下記の式で表現される。なお、シミュレーションにおける周囲温度は、３０℃である。
【００４１】
温度上昇低減率＝（基準温度−計測位置の温度）／基準温度
【００４２】
図６に示されるように、温度上昇低減率は、スリット長が増加すると単調増加する。スリット長が０．５×ａである場合には、温度上昇低減率は、３．９％であり、スリット長が０．７×ａである場合には、温度上昇低減率は、６．４％である。したがって、５％以上の温度上昇低減率を得たい場合には、スリット部３４の長さは、スリット部３４の長手方向における発光部２０の長さ（幅）の０．７倍以上であればよい。
【００４３】
スリット長が１．０×ａ、２．０×ａ、４．０×ａ、８．０×ａである場合の温度上昇低減率は、それぞれ、１０．３％、２０．６％、３２．８％、４３．１％である。顕著な温度上昇低減率を得たい場合には、スリット部３４の長さは、スリット部３４の長手方向における発光部２０の長さの４倍以上であればよい。なお、スリット長は、スリット部３４の長手方向における底板３１の長さ（例えば、底板３１の直径）よりも短くなる。
【００４４】
なお、スリット部３４に、筐体３０よりも熱伝導率の低いシール部材が挟まれた場合も、スリット部３４が開口しているときとほぼ変わらない断熱効果が得られる。したがって、シール部材がスリット部３４に挟まれれば、発光部２０と蓄電池４０との断熱性を確保しつつ、スリット部３４が設けられることにより生じる密閉性の低下を抑制することができる。
【００４５】
［スリット部の変形例１］
上記のスリット部３４は、直線状であったが、スリット部３４は、折れ曲がった直線状であってもよい。つまり、底板３１のうちスリット部３４を形成する縁部分は、折れ曲がっていてもよい。図７〜図１１は、折れ曲がったスリット部の形状を示す図である。
【００４６】
図７〜図９は、蓄電池４０側に向かって折れ曲がった直線状のスリット部を示す図である。図７〜図９に示されるスリット部は、直線状のスリット部３４が、蓄電池４０を囲むように蓄電池４０側に向かって対称的に折り曲げられたような形状を有する。
【００４７】
例えば、図７に示されるスリット部３４ａは、蓄電池４０側に向かうほど広がるコの字状（ブラケット状）である。つまり、底板３１のうちスリット部３４ａを形成する縁部分は、蓄電池４０側に向かうほど広がるコの字状に折れ曲がっている。図８に示されるスリット部３４ｂは、蓄電池４０の形状（外形）に沿うコの字状である。つまり、底板３１のうちスリット部３４ｂを形成する縁部分は、蓄電池４０の形状に沿うコの字状である。図９に示されるスリット部３４ｃは、蓄電池４０側に向かうほど狭まるコの字状である。つまり、底板３１のうちスリット部３４ｃを形成する縁部分は、蓄電池４０の形状に沿うコの字状である。
【００４８】
また、図１０及び図１１は、発光部２０（凸部３３）側に向かって折れ曲がった直線状のスリット部を示す図である。図１０及び図１１に示されるスリット部は、直線状のスリット部３４が、発光部２０を囲むように、発光部２０側に向かって対称的に折り曲げられたような形状を有する。
【００４９】
例えば、図１０に示されるスリット部３４ｄは、発光部２０側に向かうほど広がるコの字状（ブラケット状）である。つまり、底板３１のうちスリット部３４ｄを形成する縁部分は、発光部２０側に向かうほど広がるコの字状に折れ曲がっている。図１１に示されるスリット部３４ｅは、発光部２０の形状（外形）に沿うコの字状である。つまり、底板３１のうちスリット部３４ｅを形成する縁部分は、発光部２０の形状に沿うコの字状に折れ曲がっている。
【００５０】
以上説明したように、スリット部が任意に折れ曲がった形状を有していれば、発光部２０と蓄電池４０との断熱性を調整することができる。
【００５１】
例えば、スリット部３４、スリット部３４ａ、及びスリット部３４ｂの３種類を比較すると、以下の温度関係が得られる。発光部２０のシミュレーション上の温度は、スリット部３４を設けた場合が最も高く、次に、スリット部３４ａを設けた場合が高く、スリット部３４ｂを設けた場合が最も低い。蓄電池４０のシミュレーション上の温度は、スリット部３４ｂを設けた場合が最も高く、次に、スリット部３４ａを設けた場合が高く、スリット部３４を設けた場合が最も低い。
【００５２】
このように、蓄電池４０側に向かって折れ曲がったスリット部によれば、発光部２０と蓄電池４０との断熱性を確保しつつ、発光部２０の温度をやや下げることができる。
【００５３】
また、スリット部３４は、円弧状であってもよい。図１２及び図１３は、円弧状のスリット部を示す図である。図１２に示されるスリット部３４ｆは、当該スリット部３４ｆよりも蓄電池４０側に中心が位置する円弧状である。図１３に示されるスリット部３４ｇは、当該スリット部３４ｇよりも発光部２０側に中心が位置する円弧状である。
【００５４】
［スリット部の変形例２］
上記のスリット部３４等は、１つの開口（貫通孔）であったが、スリット部３４は、底板３１に設けられた複数の孔からなってもよい。図１４及び図１５は、複数の孔からなるスリット部の一例を示す図である。
【００５５】
図１４に示されるスリット部３４ｈは、平面視形状が円形の貫通孔が複数、長尺状に配置されることにより形成されている。また、図１５に示されるスリット部３４ｉは、平面視形状が矩形の貫通孔が複数、長尺状に配置されることにより形成されている。
【００５６】
なお、複数の孔は、図１４及び図１５に示されるように、スリット部の長手方向に沿う複数の列に分かれて配置されてもよいし、スリット部の長手方向に沿う１列に配置されてもよい。
【００５７】
［スリット部の変形例３］
上記のスリット部３４等は、底板３１を２つに分離しないが、底板３１は、スリット部３４等によって２つに分離されてもよい。図１６は、底板３１を２つに分離するスリット部の一例を示す図である。
【００５８】
図１６に示されるスリット部３４ｊは、Ｘ軸方向に延びる直線状であり、底板３１を２つに分離する。スリット部３４ｊは、例えば、スリット部３４ｊに挟まる第２シール部材によって塞がれていてもよい。
【００５９】
なお、底板３１に対応して側壁３２も間隙を空けて２つに分離されていてもよい。この場合も、側壁３２の間隙には、シール部材が挟まれていてもよい。
【００６０】
また、底板３１を２つに分離するスリット部の形状は、スリット部３４ｊのような形状に限定されない。底板３１を２つに分離するスリット部の形状は、上記スリット部３４ａ〜３４ｇのような形状であってもよい。
【００６１】
［補足］
照明装置１０においては、底板３１の主面をスリット部またはスリット部に沿って延長された仮想線によって第１の領域及び第２の領域の２つの領域に分割したときに、第１の領域に蓄電池４０が載置され、第２の領域に発光部２０が直接的または間接的に載置されればよい。ここで、発光部２０が間接的に載置されるとは、例えば、発光部２０及び底板３１の間に他の部材が介在する場合など、発光部２０が他の部材を介して載置されることを意味する。他の部材は、例えば、底板３１と別体の凸部３３などである。第１の領域は、第２の領域よりも狭い領域であってもよいし、第２の領域よりも広い領域であってもよい。なお、上記実施の形態では、電源回路５０は、第２の領域に載置されている。
【００６２】
また、上記実施の形態のスリット部は、開口部の一例である。底板３１の、第１の領域と第二の領域との間の位置には、スリット状とは異なる形状の開口部が設けられてもよい。
【００６３】
［効果等］
以上説明したように、照明装置１０は、発光部２０と、発光部２０に電力を供給する蓄電池４０と、蓄電池４０が載置される第１の領域、及び、発光部２０が直接的または間接的に載置される第２の領域を有する底板３１とを備える。底板３１の、第１の領域と第２の領域との間の位置には、スリット部３４が設けられる。スリット部３４は、開口部の一例である。
【００６４】
このように、底板３１にスリット部３４が設けられることにより、発光部２０が発する熱が蓄電池４０に伝わることを抑制することができる。言い換えれば、発光部２０が発する熱が蓄電池４０に伝わりにくい照明装置１０が実現される。
【００６５】
また、スリット部３４は、直線状であり、スリット部３４の長さは、スリット部３４の長手方向における発光部２０の長さの０．７倍以上であってもよい。
【００６６】
これにより、一定の断熱効果（上記実施の形態における５％以上の温度上昇低減率）を得ることができる。
【００６７】
また、スリット部３４を形成する縁部分は、折れ曲がっていてもよい。
【００６８】
これにより、折れ曲がり方の設計変更が行われれば、発光部２０と蓄電池４０との断熱性を調整することができる。
【００６９】
また、スリット部３４ａ、スリット部３４ｂ、及び、スリット部３４ｃのように、スリット部３４を形成する縁部分は、蓄電池４０側に向かって折れ曲がっていてもよい。
【００７０】
これにより、発光部２０と蓄電池４０との断熱性を確保しつつ、発光部２０の温度を下げることができる。
【００７１】
また、スリット部３４ａ、スリット部３４ｂ、スリット部３４ｃ、スリット部３４ｄ、及び、スリット部３４ｅのように、スリット部３４を形成する縁部分は、複数箇所において折れ曲がっていてもよい。
【００７２】
これにより、折れ曲がり方の設計変更が行われれば、発光部２０と蓄電池４０との断熱性を調整することができる。
【００７３】
また、スリット部３４ｆ及びスリット部３４ｇのように、スリット部３４は、円弧状であってもよい。
【００７４】
これにより、円弧状のスリット部３４によって、発光部２０が発する熱が蓄電池４０に伝わることを抑制することができる。
【００７５】
また、スリット部３４ｈ及びスリット部３４ｉのように、スリット部３４は、底板３１に設けられた複数の孔からなってもよい。
【００７６】
これにより、スリット部３４を複数の孔によって実現することができる。
【００７７】
また、照明装置１０は、さらに、底板３１の第２の領域に載置された電源回路５０であって、照明装置１０の外部から供給される交流電力を直流電力に変換して発光部２０に供給する電源回路５０を備えてもよい。
【００７８】
これにより、電源回路５０が発する熱が蓄電池４０に伝わることを抑制することができる。言い換えれば、電源回路５０が発する熱が蓄電池４０に伝わりにくい照明装置１０が実現される。
【００７９】
また、底板３１の第２の領域には、発光部２０が載置される凸部３３が設けられてもよい。
【００８０】
これにより、底板３１は、発光部２０を凸部３３によって支持することができる。
【００８１】
また、凸部３３は、底板３１の中央部に設けられてもよい。
【００８２】
これにより、発光部２０を照明装置１０の中央部に配置することができる。
【００８３】
また、照明装置１０は、さらに、発光部２０、凸部３３、及び蓄電池４０を側方から囲む側壁３２を備え、底板３１及び側壁３２は、発光部２０、凸部３３、及び蓄電池４０を収容する筐体３０を構成してもよい。
【００８４】
これにより、筐体３０の一部として形成された底板３１に設けられたスリット部３４によって、発光部２０が発する熱が蓄電池４０に伝わることを抑制することができる。
【００８５】
また、照明装置１０は、さらに、筐体３０の底板３１と反対側に取り付けられる、透光性を有するカバー６０と、カバー６０と筐体３０との隙間を塞ぐ第１シール部材７０と、スリット部３４を塞ぐ第２シール部材８０とを備えてもよい。
【００８６】
これにより、照明装置１０の密閉性（防水性及び防塵性）を高めることができる。密閉性が高められた照明装置１０においては、発光部２０の熱を逃がすことが難しいため、スリット部３４が設けられる構成が特に有用となる。
【００８７】
また、第２シール部材８０は、スリット部３４に挟まることによりスリット部３４を塞いでもよい。
【００８８】
これにより、発光部２０と蓄電池４０との断熱性を確保しつつ、スリット部３４が設けることにより生じる密閉性の低下を抑制することができる。
【００８９】
また、スリット部３４ｊのように、スリット部３４は、底板３１を２つに分離してもよい。
【００９０】
これにより、発光部２０が発する熱が蓄電池４０に伝わることを抑制することができる。
【００９１】
（その他の実施の形態）
以上、実施の形態に係る照明装置について説明したが、本発明は、このような実施の形態に限定されるものではない。
【００９２】
上記実施の形態で説明されたスリット部の形状は、一例である。例えば、スリット部の形状は、直線状の部分と、曲線状の部分とを両方含んでもよい。
【００９３】
上記実施の形態で説明された照明装置の形状は、一例である。例えば、上記実施の形態では、筐体の平面視形状は、円形であったが、筐体の平面視形状は、矩形などの多角形であってもよい。
【００９４】
また、上記実施の形態では、発光部として、ＣＯＢ型の発光モジュールが用いられたが、発光部の態様は特に限定されるものではない。例えば、ＳＭＤ型の発光モジュールが発光部として用いられてもよい。また、発光部には、ＬＥＤチップを用いた発光モジュールに代えて、蛍光管、メタルハライドランプ、ナトリウムランプ、ハロゲンランプ、キセノンランプ、または、ネオン管等が用いられてもよい。また、発光部には、無機エレクトロルミネッセンス、有機エレクトロルミネッセンス、ケミルミネッセンス（化学発光）、または、半導体レーザー等が用いられてもよい。
【００９５】
以上、一つまたは複数の態様に係る照明装置について、実施の形態に基づいて説明したが、本発明は、この実施の形態に限定されるものではない。本発明の趣旨を逸脱しない限り、当業者が思いつく各種変形を本実施の形態に施したものや、異なる実施の形態における構成要素を組み合わせて構築される形態も、一つまたは複数の態様の範囲内に含まれてもよい。
【符号の説明】
【００９６】
１０  照明装置
２０  発光部
３０  筐体
３１  底板
３２  側壁
３３  凸部
３４、３４ａ〜３４ｊ  スリット部（開口部）
４０  蓄電池
５０  電源回路
６０  カバー
７０  第１シール部材
８０  第２シール部材
【図１】
2017212202.tif 000003
【図２】
2017212202.tif 000004
【図３】
2017212202.tif 000005
【図４】
2017212202.tif 000006
【図５】
2017212202.tif 000007
【図６】
2017212202.tif 000008
【図７】
2017212202.tif 000009
【図８】
2017212202.tif 000010
【図９】
2017212202.tif 000011
【図１０】
2017212202.tif 000012
【図１１】
2017212202.tif 000013
【図１２】
2017212202.tif 000014
【図１３】
2017212202.tif 000015
【図１４】
2017212202.tif 000016
【図１５】
2017212202.tif 000017
【図１６】
2017212202.tif 000018